(57)【要約】【課題】浴槽エプロンを分割せずに着脱自在に取り付けることができ、浴槽の清掃性及び意匠性を向上させることができる浴室用カウンターを提供する。【解決手段】浴室用カウンター５０は、上端周縁に広がるフランジ部２１、及びこのフランジ部２１の外縁から垂下する垂下片部２２を有する浴槽本体２０と、この垂下片部２２の下端縁に連続して垂下し、着脱自在な浴槽エプロン３０とを備えている。浴室用カウンター５０は、垂下片部２２の下端よりも上方に浴槽側端部６１が位置した天板６０と、この天板６０に着脱自在に取付けたカバー部材８０とを備えている。【選択図】図２
2014133066.tif 000002
【特許請求の範囲】
【請求項１】
上端周縁に広がるフランジ部、及びこのフランジ部の外縁から垂下する垂下片部を有する浴槽本体と、この垂下片部の下端縁に連続して垂下し、着脱自在な浴槽エプロンとを備えている浴槽に連続して取り付ける浴室用カウンターであって、
前記垂下片部の下端よりも上方に浴槽側端部が位置した天板と、
この天板に着脱自在に取付けたカバー部材とを備えていることを特徴とする浴室用カウンター。
【請求項２】
前記天板は前記浴槽側端部が前記垂下片部の外側面に当接していることを特徴とする請求項１記載の浴室用カウンター。
【請求項３】
前記天板は前記浴槽側端部から離れた位置に下方に凹設した凹部を有していることを特徴とする請求項１又は２記載の浴室用カウンター。
【請求項４】
前記カバー部材は、前記天板の手前側端部における前記凹部の縁部近傍で前記浴槽側に近い側に配置した第１カバー部材と、この第１カバー部材に連続して前記浴槽から遠い側に配置した第２カバー部材とに分割されており、少なくとも第１カバー部材が前記天板に着脱自在であることを特徴とする請求項３記載の浴室用カウンター。
【発明の詳細な説明】
【技術分野】
【０００１】
本発明は浴室用カウンターに関する。
【背景技術】
【０００２】
特許文献１は従来の浴室用カウンターを開示している。この浴室用カウンターは浴槽に連続して取り付けられている。浴槽は、上端周縁に広がるフランジ部、及びこのフランジ部の外縁から垂下する垂下片部とを有する浴槽本体と、垂下片部の下端縁に連続して垂下した浴槽エプロンとを備えている。浴室用カウンターは、壁部に取り付けた状態で、浴室の壁部に当接した背面部、背面部の上端縁から前方に延びた上面部、上面部の前端縁から垂下した前面部、背面部の下端縁から前方に延びた下面部、及び前面部の下端部と下面部の前端縁とを連結した傾斜面部から構成されている。この浴室用カウンターは、横方向に延びた空洞部を形成しており、この空洞部に配管を収納している。この浴室用カウンターは浴槽側端部を浴槽エプロンに当接して取り付けられている。
【０００３】
浴槽エプロンは、浴室用カウンターの浴槽側端部が当接している第１エプロン部と、第１エプロン部に連続して浴室用カウンターを取り付けた壁部に対向する壁部まで延びた第２エプロン部とに分割されている。第２エプロン部は浴槽本体に対して着脱自在である。第２エプロン部を取り外すことによって浴槽本体に設けた作業口を露出させることができ、作業口を通して保守点検等の作業を行うことができる。
【先行技術文献】
【特許文献】
【０００４】
【特許文献１】特開２００９−１１９１３０号公報
【発明の概要】
【発明が解決しようとする課題】
【０００５】
しかし、特許文献１の浴室用カウンターが連続して取り付けられた浴槽では、浴槽エプロンを第１エプロン部と第２エプロン部とに分割しなければならない。このため、浴槽エプロンに上下方向に延びた分割線が生じ、この部分に汚れが入り込むと汚れが目立ち、意匠性を損なうおそれがある。
【０００６】
本発明は、上記従来の実情に鑑みてなされたものであって、浴槽エプロンを分割せずに着脱自在に取り付けることができ、浴槽の清掃性及び意匠性を向上させることができる浴室用カウンターを提供することを解決すべき課題としている。
【課題を解決するための手段】
【０００７】
本発明の浴室用カウンターは、上端周縁に広がるフランジ部、及びこのフランジ部の外縁から垂下する垂下片部を有する浴槽本体と、この垂下片部の下端縁に連続して垂下し、着脱自在な浴槽エプロンとを備えている浴槽に連続して取り付ける浴室用カウンターであって、
前記垂下片部の下端よりも上方に浴槽側端部が位置した天板と、
この天板に着脱自在に取付けたカバー部材とを備えていることを特徴とする。
【０００８】
この浴室用カウンターは、天板の浴槽側端部が垂下片部の下端より上方に位置する。また、カバー部材が天板に着脱自在に取り付けられる。このため、この浴室用カウンターは、カバー部材を取り外した状態で、浴室用カウンターの天板の下方で浴槽本体の垂下片部に連続して垂下する浴槽エプロンを天板に干渉しないように着脱することができる。よって、この浴室用カウンターが連続した浴槽の浴槽エプロンを分離する必要がなくなり、１枚の浴槽エプロンで浴槽本体の洗い場側を覆うことができる。
【０００９】
したがって、本発明の浴室用カウンターは、浴槽エプロンを分割せずに浴槽に着脱自在に取り付けることができ、浴槽の清掃性及び意匠性を向上させることができる。
【図面の簡単な説明】
【００１０】
【図１】実施例の浴室用カウンターを取り付けた浴室を示す斜視図である。
【図２】実施例の浴室用カウンターを示す正面図である。
【図３】図２の矢視Ｘ−Ｘ断面図である。
【図４】実施例の浴室用カウンターであって、第１カバー部材を取り外した状態を示す正面図である。
【図５】実施例の浴室用カウンターの浴槽側端部が浴槽の垂下片部の外側面に当接した状態を示す断面図である。
【図６】実施例の浴室用カウンターに連続した浴槽の浴槽エプロンを取り外す状態を示す斜視図である。
【発明を実施するための形態】
【００１１】
本発明における好ましい実施の形態を説明する。
【００１２】
本発明の浴室用カウンターにおいて、前記天板は前記浴槽側端部が前記垂下片部の外側面に当接し得る。この場合、天板と浴槽の垂下片部とが連続し、見栄えをよくすることができる。
【００１３】
本発明の浴室用カウンターにおいて、前記天板は前記浴槽側端部から離れた位置に下方に凹設した凹部を有し得る。この場合、天板に凹部を形成しても、浴槽側端部から離れた位置の凹部と浴槽本体との間に浴槽用エプロンを着脱するための空間が形成されるため、その空間を利用して浴槽用エプロンを着脱することができる。
【００１４】
本発明の浴室用カウンターにおいて、前記カバー部材は、前記天板の手前側端部における前記凹部の縁部近傍で前記浴槽側に近い側に配置した第１カバー部材と、この第１カバー部材に連続して前記浴槽から遠い側に配置した第２カバー部材とに分割されており、少なくとも第１カバー部材が前記天板に着脱自在であり得る。この場合、第１カバー部材のみを天板に着脱すれば、浴槽エプロンを着脱することができる。このため、浴槽エプロンの着脱を容易に行うことができる。
【００１５】
次に、本発明の浴室用カウンターを具体化した実施例について、図面を参照しつつ説明する。
【００１６】
＜実施例＞
実施例の浴室用カウンター５０は、図１に示すように、浴槽１０に連続した状態で浴室の壁部（以下、取付壁部Ｗ１という。）に取り付けられている。浴槽１０は、図１、図２、及び図４〜図６に示すように、浴槽本体２０と着脱自在な浴槽エプロン３０とを備えている。浴槽本体２０は、上端周縁に広がるフランジ部２１、及びフランジ部２１の洗い場側の外縁から垂下する垂下片部２２を有している。また、浴槽本体２０には、垂下片部２２より内側に２個の作業口を有する側面部材２３が固定されている。各作業口は着脱自在な蓋部材２４が取り付けられている。各作業口は、蓋部材２４を取り外すことによって、保守点検等の作業を行うことができる。
【００１７】
浴槽エプロン３０は、一枚の横長矩形状であり、側面部材２３を覆うように、垂下片部２２の下端縁に連続して垂下している。この浴槽エプロン３０は、下端縁を図示しない側面部材２３側に設けた係止部に係止し、上端縁を垂下片部２２の下端縁に嵌め込むようにして、着脱自在に取り付けられている。
【００１８】
浴室用カウンター５０は、図１〜図６に示すように、天板６０と、天板６０を支持するブラケット７０と、天板６０の下方に取り付けられたカバー部材８０とを有している。天板６０は、平面視で、浴槽１０の外側面から浴槽１０の外側面に対向する洗い場の壁部（以下、洗い場壁部Ｗ２という。）近傍まで延びた矩形状である。
【００１９】
天板６０は浴槽側端部６１から離れた位置に下方に凹設した凹部６２を有している。凹部６２の縁部６２Ａは、天板６０の手前側の端部（以下、手前側端部６３という。）から取付壁部Ｗ１方向に延びている。この縁部６２Ａは、円弧状に湾曲しながら取付壁部Ｗ１に近づき、さらに取付壁部Ｗ１に平行に延びて、天板６０の浴槽側端部６１の反対側の端部（以下、洗い場壁側端部６４という。）に至っている。凹部６２は、平面視で、取付壁部Ｗ１に沿った方向に延びた横長形状である。凹部６２は天板６０の手前側端部６３で開いている。この凹部６２は洗面器置きとして利用することができる。これにより、天板６０の浴槽側端部６１が浴槽１０の垂下片部２２の下端より高い位置にあっても、凹部６２に洗面器を置くことができるため、使用者に使いやすい高さに下げることができる。また、洗面器からの排水は凹部６２から手前側端部６３へ流れるため、浴槽１０側へ流れ難い。
【００２０】
天板６０は、取付壁部Ｗ１に当接した端部（以下、取付壁側端部６６という。）の上端縁と浴槽側端部６１の上端縁とが同じ高さで水平に延びている。このため、天板６０の浴槽側端部６１と浴槽１０の垂下片部２２とを水平にそろえることができるため、干渉せずに浴槽エプロン３０を着脱することができる。また、天板６０は、取付壁側端部６６からの下り傾斜と浴槽側端部６１からの下り傾斜とが重なり合って形成された傾斜面を有している。このため、天板６０上の湯水を浴槽側端部６１から離れる方向かつ手前側端部６３の方向へ良好に排水することができる。
【００２１】
天板６０は、浴槽本体２０の垂下片部２２の下端よりも上方であって、この垂下片部２２の外側面に浴槽側端部６１が当接するように取り付けられている。ブラケット７０は、天板６０の浴槽１０側を支持する第１ブラケット７１と、天板６０の中間部の２か所を支持する図示しない２個の第２ブラケットと、浴槽１０から離れた端部を支持する第３ブラケット７３の３種類４個である。天板６０の幅が大きい場合は第２ブラケット７０の個数を増やすことができる。
【００２２】
第３ブラケット７３は天板６０の洗い場壁側端部６４と洗い場壁部Ｗ２との隙間を埋めるスペーサーとしての機能を有している。第１ブラケット７１は、図５に示すように、浴槽１０側の端部から浴槽１０側に延びており、浴槽本体２０の垂下片部２２の外側面に当接する位置決め部７１Ａを有している。このため、第１ブラケット７１は浴槽本体２０の垂下片部２２からこの位置決め部７１の長さ分だけ離れた位置に取り付けることができる。また、第１ブラケット７１は、浴槽１０側の辺部から立ち上がったストッパー部７１Ｂを有している。このストッパー部７１Ｂは天板６０の下方に突出したリブ６５が当接することによって、天板６０が浴槽１０側に寄り過ぎないようにすることができる。
【００２３】
カバー部材８０は、図１〜図４に示すように、第１カバー部材８１と第２カバー部材８２とを有している。第１カバー部材８１は、天板６０の浴槽側端部６１から凹部６２の浴槽１０側の下方まで延びている。第１カバー部材８１は、図３に示すように、天板６０の手前部分と、取付壁部Ｗ１であって天板６０よりも下方に取り付けた固定部材８３とに固定ボルトＢによって着脱自在に取り付けられている。
【００２４】
第２カバー部材８２は、図２及び図４に示すように、第１カバー部材８１に連続し、天板６０の洗い場壁側端部６４まで延びている。天板６０と、取付壁部Ｗ１と、第１カバー部材８１及び第２カバー部材８２とに囲まれた空間内には、第１ブラケット〜第３ブラケット７３と、洗い場壁部Ｗ２と浴槽１０との間に延びる図示しない配管とが収納されている。
【００２５】
このような構成を有する浴室用カウンター５０は、次に示すように浴槽用エプロン３０を取り外すことができる。先ず、図３に示すように、第１カバー部材８１を取付けている固定ボルトＢを取り外して第１カバー部材８１を取り外す。すると、図４に示すように、天板６０の浴槽本体２０側の下方に浴槽エプロン３０を取り外すための空間Ｓを形成することができる。
【００２６】
天板６０の浴槽側端部６１が浴槽本体２０の垂下片部２２の下端より上方で垂下片部２２の外側面に当接している。このため、図６に示すように、浴室用カウンター５０の天板６０の下方で浴槽本体２０の垂下片部２２に連続して垂下する浴槽エプロン３０を天板６０に干渉しないように取り外すことができる。よって、浴槽エプロン３０を分離する必要がなくなり、１枚の浴槽エプロン３０で浴槽本体２０の洗い場側を覆うことができる。
【００２７】
また、天板６０に凹部６２を形成しても、浴槽側端部６１から離れた位置の凹部６２と浴槽本体２０との間に空間Ｓが形成されるため、その空間Ｓを利用して浴槽エプロン３０を取り外すことができる。
【００２８】
この浴室用カウンター５０は、浴槽エプロン３０を取り外した手順とは逆の手順で浴槽エプロン３０を取り付けることができる。
【００２９】
したがって、実施例の浴室用カウンター５０は、浴槽エプロン３０を分割せずに着脱自在に取り付けることができ、浴槽１０の清掃性及び意匠性を向上させることができる。
【００３０】
本発明は上記記述及び図面によって説明した実施例に限定されるものではなく、例えば次のような実施例も本発明の技術的範囲に含まれる。
（１）実施例では、天板に凹部を設けたが、天板に凹部を設けなくてもよい。
（２）実施例では、浴室用カウンターが浴槽の外側面から洗い場壁部の近傍まで延びていたが、浴室用カウンターは浴槽の外側面に当接していれば、洗い場壁部の近傍まで延びていなくてもよい。
【符号の説明】
【００３１】
１０…浴槽
２０…浴槽本体
２１…フランジ部
２２…垂下片部
３０…浴槽エプロン
５０…浴室用カウンター
６０…天板
６１…浴槽側端部
６２…凹部
８０…カバー部材（８１…第１カバー部材、８２…第２カバー部材）
【図１】
2014133066.tif 000003
【図２】
2014133066.tif 000004
【図３】
2014133066.tif 000005
【図４】
2014133066.tif 000006
【図５】
2014133066.tif 000007
【図６】
2014133066.tif 000008